(57)【要約】【課題】連続して読み取る原稿の画像の任意の位置への別の画像の差し込みが容易に行える構造を実現する。【解決手段】載置台としての給紙トレイに載置された複数の原稿を搬送手段としてのＡＤＦにより搬送して、画像読取手段としての画像読取部１７により読み取る（流し読み）。一方、ＡＤＦにより搬送される原稿の画像とは別の画像を、例えば原稿を原稿台に載置して画像読取部１７により読み取り（固定読み）、画像取得手段としての画像メモリ２１に格納する。差込位置指定手段としての差込位置指定部２０は、この別の画像を、流し読みで連続して読み取る複数の原稿の画像に差し込む位置を指定する。差込制御手段としての差込制御部２２は、差込位置指定部２０の指定に基づいて、別の画像の差し込みを行う。【選択図】図３
2014127989.tif 000002
【特許請求の範囲】
【請求項１】
原稿を載置する載置台と、
前記載置台に載置された原稿を搬送する搬送手段と、
前記搬送手段により搬送された原稿の画像を読み取る画像読取手段と、
前記搬送手段により搬送される原稿の画像とは別の画像を取得する画像取得手段と、
前記画像取得手段により取得した前記別の画像を、前記搬送手段で搬送され前記画像読取手段により連続して読み取る複数の原稿の画像に差し込む位置の指定に基づいて、前記別の画像の差し込みを行う差込制御手段と、を備えた、
ことを特徴とする画像読取装置。
【請求項２】
複数の原稿と共に前記載置台に載置され、前記画像読取手段により読み取られる、予め設定された差し込み位置に関する情報を有する情報媒体と前記複数の原稿とを判別する情報媒体判別手段と、前記情報媒体判別手段により前記情報媒体と判別された場合に、前記画像読取手段により読み取った前記情報媒体の情報を取得する情報取得手段とを有し、
前記差込制御手段は、前記情報取得手段により取得した情報に基づいて、前記別の画像の差し込みを行う、
ことを特徴とする、請求項１に記載の画像読取装置。
【請求項３】
前記情報取得手段は、前記情報媒体に予め設定された倍率に関する情報を取得し、
前記差込制御手段は、前記情報取得手段により取得した倍率に関する情報に基づいて、前記別の画像の倍率を変更して差し込みを行う、
ことを特徴とする、請求項２に記載の画像読取装置。
【請求項４】
前記情報取得手段は、前記情報媒体に予め設定された分割に関する情報を取得し、
前記差込制御手段は、前記情報取得手段により取得した分割に関する情報に基づいて、前記別の画像を複数の画像領域に分割して差し込みを行う、
ことを特徴とする、請求項２又は３に記載の画像読取装置。
【請求項５】
原稿を載置する原稿台を有し、
前記画像読取手段は、前記原稿台に載置された原稿を走査して読み取り可能で、
前記画像取得手段は、前記画像読取手段により前記原稿台に載置された原稿を走査して読み取ることで前記別の画像を取得する、
ことを特徴とする、請求項１ないし４のうちの何れか１項に記載の画像読取装置。
【請求項６】
前記画像取得手段は、前記搬送手段で搬送され前記画像読取手段により連続して複数の原稿を読み取る前に、予め、前記画像読取手段により読み取った画像を記憶する記憶手段を有し、
前記差込制御手段は、前記記憶手段に記憶された画像を前記別の画像として差し込みを行う、
ことを特徴とする、請求項１ないし５のうちの何れか１項に記載の画像読取装置。
【請求項７】
前記画像取得手段は、外部端末から送られる画像を記憶する記憶手段を有し、
前記差込制御手段は、前記記憶手段に記憶された画像を前記別の画像として差し込みを行う、
ことを特徴とする、請求項１ないし５のうちの何れか１項に記載の画像読取装置。
【発明の詳細な説明】
【技術分野】
【０００１】
本発明は、スキャナなどの画像読取装置に関し、特に、トレイなどの載置台から原稿を搬送する搬送手段を有し、搬送手段により連続して搬送される原稿を順次読み取り可能な画像読取装置に関する。
【背景技術】
【０００２】
一般的な画像読取装置の画像読取方法として、原稿を原稿台としてのプラテンガラスに載置して読み取る「固定読み」と、原稿束を載置台としての給紙トレイに載置し、給紙トレイから原稿を１枚ずつ搬送しながら読み取る「流し読み」が存在する。
【０００３】
「固定読み」の場合は、使用者が原稿を１枚ずつ交換する必要があるのに対して、「流し読み」の場合は、使用者が原稿束を給紙トレイに置けば、装置側で原稿を１枚ずつ搬送して読み取るので、使用者が原稿を交換する必要がない。このため、「流し読み」の場合、例えば５０枚程度の原稿を一度に読み取ることができるなど、利便性が向上する。
【０００４】
また、このような「流し読み」と「固定読み」を適宜切り替えて読み取る装置が提案されている（特許文献１、２）。特許文献１には、給紙トレイ（流し読み）と原稿台（固定読み）の両方に原稿がある場合、「固定読み」を優先し、「固定読み」を行ったあとで「流し読み」を行う装置が提案されている。特許文献２には、給紙トレイ（流し読み）と原稿台（固定読み）の両方に原稿がある場合、「流し読み」と「固定読み」の読み取り順を選択できるようにする装置が提案されている。
【先行技術文献】
【特許文献】
【０００５】
【特許文献１】特開平１−２６５７７７号公報
【特許文献２】特開２００９−２３１８８７号公報
【発明の概要】
【発明が解決しようとする課題】
【０００６】
ここで、複数のサイズが混在する原稿をまとめて（１つの書類として）読み取りたいという要求がある。このために、複数のサイズが混在した原稿束を給紙トレイに載置して「流し読み」を行うことが考えられる。但し、「流し読み」において原稿の搬送を正しく行うためには、給紙トレイには同じ用紙サイズの原稿を置くことが望ましい。仮に、異なるサイズの原稿を混ぜて読み取る場合は、小さいサイズの原稿がガイドされずに斜めに搬送されてしまう可能性がある。
【０００７】
一方、特許文献１、２に記載されているような、「流し読み」と「固定読み」とを切り替える装置を使用して、同じサイズの原稿を「流し読み」で、異なるサイズの原稿を「固定読み」で読み取ることが考えられる。但し、特許文献１、２に記載された装置の場合、どちらか一方の読み取りを行ってからもう一方の読取方法に切り替える必要がある。このため、「固定読み」は一度しか行えず、また、「固定読み」で読み取った原稿の画像を、「流し読み」で連続して読み取った原稿の画像の任意の位置に差し込むことができない。
【０００８】
仮に、「流し読み」で連続して読み取る原稿の画像の途中に、「固定読み」で読み取る原稿の画像を差し込もうとした場合、「流し読み」を複数回に分けて行う必要がある。例えば、まず、「固定読み」の画像を差し込む前の画像の原稿分を給紙トレイに載置して「流し読み」を行い、「固定読み」が終わった後、残りの原稿を給紙トレイに載置して「流し読み」を行う必要があり、使用者には手間である。
【０００９】
また、サイズが異なる原稿の画像以外にも、種類が異なる原稿の画像、或いは、外部端末に存在する画像データなどの別の画像を、「流し読み」で読み取った原稿の画像の途中に差し込めるようにすることも望まれる。
【００１０】
本発明は、このような事情に鑑み、連続して読み取る原稿の画像の任意の位置への別の画像の差し込みが容易に行える構造を実現すべく発明したものである。
【課題を解決するための手段】
【００１１】
本発明は、原稿を載置する載置台と、前記載置台に載置された原稿を搬送する搬送手段と、前記搬送手段により搬送された原稿の画像を読み取る画像読取手段と、前記搬送手段により搬送される原稿の画像とは別の画像を取得する画像取得手段と、前記画像取得手段により取得した前記別の画像を、前記搬送手段で搬送され前記画像読取手段により連続して読み取る複数の原稿の画像に差し込む位置の指定に基づいて、前記別の画像の差し込みを行う差込制御手段と、を備えた、ことを特徴とする画像読取装置にある。
【発明の効果】
【００１２】
本発明によれば、連続して読み取る複数の原稿の画像に、別の画像を差し込む位置を指定できるため、連続して読み取る原稿の画像の任意の位置への別の画像の差し込みが容易に行える。
【図面の簡単な説明】
【００１３】
【図１】本発明の実施形態に係る画像読取装置を備えた画像形成装置の概略構成図。
【図２】本実施形態の画像読取装置の自動原稿給送装置の概略構成断面図。
【図３】本実施形態の画像読取装置を備えた画像形成装置の構成を示すブロック図。
【図４】本実施形態で、差込画像を他の装置から取得する構成を示すブロック図。
【図５】（ａ）本実施形態の情報紙を原稿束に差し込む位置の例を示す模式図、（ｂ）情報紙がマークシートである場合の模式図。
【図６】本実施形態のマークシートの詳細図。
【図７】本実施形態で情報紙の情報が記載される領域の一例を示す模式図。
【図８】本実施形態の制御の流れの一例を示すフローチャート。
【発明を実施するための形態】
【００１４】
本発明の実施形態について、図１ないし図８を用いて説明する。まず、図１及び図２を用いて本実施形態の画像読取装置を備えた画像形成装置の概略構成について説明する。
【００１５】
［画像形成装置］
画像形成装置５００は、図１に示すように、搬送手段である自動原稿給送装置（ＡＤＦ）１００を備えた画像読取装置であるスキャナ３００と、画像形成装置本体４００とを備える。
【００１６】
スキャナ３００は、原稿台（コンタクトガラス、プラテンガラス）３０２と、画像読取手段（画像読取部）であるイメージセンサ３０１とを有する。ＡＤＦ１００の載置台としての給紙トレイ１０１に載置された原稿（シート、用紙など）は、ＡＤＦ１００によりイメージセンサ３０１に搬送され、イメージセンサ３０１により原稿上の画像情報が読み取られる。また、原稿台３０２に置かれた原稿も、同様にイメージセンサ３０１により原稿上の画像情報が読み取られる。なお、ＡＤＦ１００の詳しい説明は後述する。
【００１７】
このように原稿を読み取るイメージセンサ３０１は、原稿台３０２内（原稿が置かれる側と反対側部分）に配置されている。また、イメージセンサ３０１は、光源である複数のＬＥＤ３０３、３０４を主走査方向（図１の表裏方向）に沿って並べて配置している。そして、ＬＥＤ３０３、３０４から原稿に光を照射し、原稿から反射された光３１０を複数のミラー３０５、３０６、３０７や集光レンズ３０８を介して、ＣＣＤなどの光電変換素子３０９により検知することにより、原稿の画像を読み取る。
【００１８】
なお、光電変換素子は、検知した光を電気信号に変換するものである。また、イメージセンサ３０１は、このような構造に限定されず、従来から知られている各種構造を採用可能である。また、イメージセンサ３０１は、副走査方向（図１の左右方向）に移動可能で、原稿台３０２に置かれた原稿上の画像を副走査方向に移動しつつ（走査して）読み取る。
【００１９】
上述のように光電変換素子３０９により読み取られた画像は、画像信号として処理され、画像形成装置本体４００に送られる。この画像形成装置本体４００には、画像形成部４００Ａ、カセット４２０、４２１などが配置されている。画像形成部４００Ａは、感光ドラム４０１、帯電器４０２、露光制御部４０３、現像器４０４、転写帯電器４０５、クリーナ４０６、原稿搬送ベルト４０７、定着装置４０８を有する。画像形成を行う場合には、帯電器４０２により感光ドラム４０１の表面を所定の電位に帯電させる。そして、露光制御部４０３にて上述の画像信号に基づいて変調された光信号を感光ドラム４０１に照射することにより、感光ドラム４０１上に静電潜像が形成される。この潜像は、現像器４０４によって現像され、感光ドラム４０１上にトナー像が形成される。
【００２０】
このトナー像とタイミングを合わせて、カセット４２０と４２１の何れかから原稿Ｓを、搬送路４２２を介して転写部Ｔに搬送し、転写帯電器４０５に所定の転写バイアスを印加することにより、トナー像が原稿Ｓに転写される。転写後に感光ドラム４０１上に残存したトナーはクリーナ４０６により回収除去され、次の画像形成に備える。
【００２１】
原稿Ｓに転写されたトナー像は、原稿搬送ベルト４０７により搬送され、定着装置４０８にて原稿Ｓ上に加熱、定着され、原稿Ｓ上に画像が形成される。画像が形成された原稿Ｓは、原稿排出部４０９から排紙トレイ、又は、ステイプルなどを行うフィニッシャに搬送される。或いは、両面搬送路４１０にスイッチバックされ、裏面の画像形成を行う。このようなＡＤＦ１００、スキャナ３００、画像形成装置本体４００は、制御手段である制御部２００により制御される。
【００２２】
［ＡＤＦ（搬送手段）］
上述のＡＤＦ１００について、図２を用いて説明する。ＡＤＦ１００は、原稿（或いは原稿束）が載置される給紙トレイ１０１、搬送部材である搬送ローラ１０２、原稿受部材１０３、原稿検知センサ１２０、原稿搬送部１０４を有する。搬送ローラ１０２は、回転軸１０５を中心に揺動自在で、正逆両方向に回転可能な駆動源であるモータ（不図示）により回転軸１０２ａを中心として回転駆動される。
【００２３】
また、原稿受部材１０３は、給紙トレイ１０１の原稿搬送方向下流で、搬送ローラ１０２と対向する位置に配置される。この原稿受部材１０３は、給紙トレイ１０１と共に原稿を載置する載置台を構成し、原稿の先端部を支持する。
【００２４】
また、原稿検知センサ１２０は、原稿検知手段であり、原稿除去検知手段でもある。このような原稿検知センサ１２０は、搬送ローラ１０２と原稿受部材１０３との間部分に原稿が進入したこと、及び、この間部分に原稿がないことを検知する。原稿検知センサ１２０は、例えば、レバー部材を搬送ローラ１０２と原稿受部材１０３との間部分に揺動自在に配置し、レバー部材の揺動を検知する。或いは、フォトセンサを設置してこの間部分を光が通過するか否かを検知する。
【００２５】
原稿検知センサ１２０としてレバー部材を使用したものは、原稿の先端がレバー部材を倒すことにより原稿を検知し、その後、レバー部材が元の位置に復帰すれば、原稿が除去されたことを検知する。フォトセンサを使用したものは、原稿が光を遮断することにより原稿を検知し、その後、フォトセンサの受信部が光を検知すれば、原稿が除去されたことを検知する。
【００２６】
また、原稿搬送部１０４は、分離ローラ１０７、レジストローラ対１０８、上流側リードローラ対１０９、下流側リードローラ対１１０、排出ローラ対１１１を有する。分離ローラ１０７は、搬送ローラ１０２の揺動中心である回転軸１０５を中心として、モータにより回転駆動される。分離ローラ１０７の原稿搬送方向下流側には、レジストローラ対１０８、上流側リードローラ対１０９、下流側リードローラ対１１０、排出ローラ対１１１が順番に配置され、それぞれ回転駆動する。
【００２７】
給紙トレイ１０１に載置された原稿（或いは原稿束）は、先端が搬送ローラ１０２と原稿受部材１０３との間に進入する。そして、搬送ローラ１０２を下降させて搬送ローラ１０２を原稿の表面に当接させた状態で、搬送ローラ１０２を正方向に回転することにより、原稿を分離ローラ１０７に搬送する。そして、分離ローラ１０７により下流に（原稿束の場合は分離ローラ１０７の下方に位置する分離パッドによって他の原稿と分離して１枚ずつ）搬送される。
【００２８】
分離ローラ１０７により搬送された原稿は、レジストローラ対１０８、上流側リードローラ対１０９により、原稿台３０２の所定の画像読取位置３０２ａに搬送される。そして、画像読取位置３０２ａで原稿上の画像が読み取られる。画像が読み取られた原稿は、下流側リードローラ対１１０、排出ローラ対１１１により排紙トレイ１１２に排出されるか、両面搬送路１１３にスイッチバックされ、再度、画像読取位置３０２ａに搬送されて、裏面の画像が読み取られる。
【００２９】
［システム構成］
次に、本実施形態のスキャナ３００を備えた画像形成装置５００のシステム構成について、図３を用いて説明する。画像形成装置５００は、ＣＰＵ１１（制御部２００）、ＲＡＭ１２、ＲＯＭ１３、パネル操作部１４、Ｉ／Ｆ１５、不揮発性メモリ１６、画像形成装置本体２４（画像形成装置本体４００）などを備える。また、図３の画像読取部１７（イメージセンサ３０１）、差込位置指定部２０、画像メモリ２１、差込制御部２２は、スキャナ３００の構成に含まれる。
【００３０】
ＣＰＵ１１は、装置全体の動作を制御する。ＲＡＭ１２は、ＣＰＵ１１の作業領域及びデータの一時記憶領域である。ＲＯＭ１３は、装置全体を駆動するためのファームウェアプログラムや、ファームウェアプログラムを制御するためのブートプログラムが書き込まれ、ＣＰＵ１１によって使用される。
【００３１】
パネル操作部１４は、使用者が装置の設定を行ったり、その確認を行ったりするためのものである。Ｉ／Ｆ１５は、パーソナルコンピュータや他のネットワーク上の装置などの外部端末２３と接続されており、これを介して画像データなどが装置に転送される。不揮発性メモリ１６は装置の設定を格納する。
【００３２】
画像読取手段としての画像読取部１７は、上述のイメージセンサ３０１であり、ＡＤＦ１００により搬送される原稿の画像を読み取ったり（流し読み）、原稿台３０２上に載置された原稿を読み取ったり（固定読み）する。本実施形態では、このような構成で、流し読みで連続して読み取った原稿の画像の任意の位置に別の画像を差し込むべく、差込位置指定部２０、画像メモリ２１、差込制御部２２を有する。
【００３３】
差込位置指定手段としての差込位置指定部２０は、別の画像を、ＡＤＦ１００で搬送され画像読取部１７により連続して読み取る複数の原稿の画像に差し込む位置を指定するものである。本実施形態の場合、差込位置指定部２０は、情報媒体判別手段としての情報媒体判別部１８と、情報取得手段としての情報取得部１９とを有する。
【００３４】
情報媒体判別部１８は、複数の原稿と共に給紙トレイ１０１に載置され、画像読取部１７により読み取られる、後述する情報媒体としての情報紙と、複数の原稿とを判別する。情報紙は、予め設定された差し込み位置に関する情報を有する。情報取得部１９は、情報媒体判別部１８により情報紙と判別された場合に、画像読取部１７により読み取った情報紙の情報を取得する。
【００３５】
画像取得手段及び記憶手段としての画像メモリ２１は、ＡＤＦ１００により搬送される原稿の画像とは別の画像を取得する。本実施形態では、固定読みで読み取った原稿の画像を別の画像として一時的に画像メモリ２１に格納する。例えば、ＡＤＦ１００で搬送され画像読取部１７より連続して複数の原稿を読み取る前（流し読みの前）に、予め、画像読取部１７により読み取った画像（固定読みで読み取った画像）を、画像メモリ２１に記憶する。そして、画像メモリ２１に格納した（記憶した）画像が、流し読みで連続して読み取った原稿の画像の任意の位置に差し込む別の画像（差込画像）となる。
【００３６】
差込制御手段としての差込制御部２２は、上述の差込位置指定部２０の指定に基づいて、画像メモリ２１に格納された差込画像（別の画像）の差し込みを行う。本実施形態では、情報取得部１９により取得した情報紙の情報に基づいて、差込画像の差し込みを行う。
【００３７】
また、差込制御部２２は、画像メモリ２１により取得した別の画像（差込画像）の倍率を変更して差し込みを行うこともできる。即ち、後述する情報紙は、使用者が予め設定した倍率に関する情報を有し、差込制御部２２は、情報取得部１９により取得したこの倍率に関する情報に基づいて、差込画像の倍率を変更する。例えば、差込画像が流し読みで読み取った原稿の画像とサイズが異なる場合に、原稿の画像とサイズを合わせるように差込画像の倍率を変更する。
【００３８】
更に、差込制御部２２は、画像メモリ２１により取得した別の画像（差込画像）を複数の画像領域に分割して差し込みを行うこともできる。即ち、情報紙は、使用者が予め設定した分割に関する情報を有し、差込制御部２２は、情報取得部１９により取得したこの分割に関する情報に基づいて、差込画像を複数の画像領域に分割する。例えば、差込画像を２分割して出力したい場合に、差込画像を２分割する。
【００３９】
なお、画像メモリ２１に格納する差込画像は、上述のように固定読みで読み取った原稿の画像以外に、図４に示すような外部端末からＩ／Ｆ１５（図３）を介して送られる画像としても良い。外部端末としては、ＨＤＤ（ハードディスクドライブ）などの記憶装置２６、画像形成装置５００のスキャナ３００以外の別の画像読取装置２７、ネットワーク上のＰＣ（パーソナルコンピュータ）２８などが挙げられる。記憶装置２６は、外部ではなく、スキャナ３００が有していても良い。そして、記憶装置２６に記憶された画像、別の画像読取装置２７により読み取った原稿の画像、ＰＣ２８内の画像の何れかを差込画像として画像メモリ２１に格納され、差込制御部２２が、差込位置指定部２０の指定に基づいてこの差込画像の差し込みを行う。
【００４０】
また、図４に示す全て或いは何れか複数の外部端末から送られる画像、更には固定読みの画像が画像メモリ２１に格納されている場合には、情報紙に何れの画像を選択するかの情報を与えておくようにする。そして、差込制御部２２がこの情報に基づいて画像を選択し、差込を行うようにする。
【００４１】
画像形成装置本体２４は、上述の画像形成装置本体４００であり、スキャナ３００や外部端末から送られた画像を出力する。本実施形態では、流し読みの画像と任意の位置に差し込まれた差込画像とを、その位置関係のまま出力する。例えば、流し読みの原稿の画像の１０枚のうちの３枚目に差込画像を差し込む場合、最初の２枚を流し読みで読み取った順番で出力してから差込画像を出力し、その後、残りの流し読みの原稿の画像を読み取った順番で出力する。そして、１つの書類として完成させる。上述の各要素とＣＰＵ１１とは、図３に示すように、システムバス２５により接続される。
【００４２】
［情報媒体］
次に、図５ないし図７を用いて、情報媒体としての情報紙について説明する。情報紙４１は、図５（ａ）に示すように、給紙トレイ１０１に載置される同じサイズの原稿束４０の先頭や途中に差し込まれ、原稿束４０と共にＡＤＦ１００で搬送されて、画像読取部１７（イメージセンサ３０１）で読み取られる。このような情報紙４１は、本実施形態では、図５（ｂ）及び図６に示すようなマークシート式のプレプリント紙である。そして、使用者が情報紙４１のマークを塗り潰したものを情報媒体判別部１８及び情報取得部１９により解析し、差込制御部２２により差し込み位置などの設定を決定する。
【００４３】
情報紙４１は、図６に詳しく示すように、差込位置指定の情報４２、差込位置の情報４３、倍率の情報４４、分割数（配置）の情報４５を有する。情報４２は、原稿か情報紙かを判断する基準であり、かつ、情報紙の次ページに画像を差し込むか（「しない」をマークした場合）、差し込み位置を任意の位置に１又は複数指定するか（「する」をマークした場合）を設定するものである。即ち、画像読取部１７により読み取られた画像データから、情報媒体判別部１８がこの位置にマークがあると認識すると、この情報媒体判別部１８が、読み取った画像が記載されたものは情報紙４１であると判別する。一方、画像データから当該位置にマークを認識できなければ、情報媒体判別部１８が、読み取った画像が記載されたものは原稿であると判別する。
【００４４】
情報４３、４４、４５は、情報媒体判別部１８が情報紙４１である判別した場合、即ち、情報４２に位置にマークがされている場合に、情報取得部１９が解析するものである。まず、情報４３は、差し込み位置を任意の位置に１又は複数指定する場合、即ち、情報４２で「する」にマークされている場合に解析するものであり、連続読み取り開始から何枚目に差込画像の差し込みを行うのかを１又は複数指定することができる。
【００４５】
情報４４は、差込画像の拡大・縮小の倍率を選択するものであり、初期値として倍率１００％の部分には予めマークされている。そして、他の倍率の項目をマークすることで指定した倍率が有効になる。また、オートの項目は差込画像のサイズを自動的に原稿束と同じサイズに合わせることを可能にする。差込制御部２２は、情報取得部１９が取得した情報４４に基づいて、差込画像の倍率を変更して差し込みを行う。
【００４６】
情報４５は、差込画像の分割数を選択するものであり、初期値として１分割（分割なし）が予めマークされている。そして、他の分割数をマークすることで指定した分割数が有効になる。２分割以上を選択した場合、原稿束のサイズより差込画像のサイズが大きい時でも、縮小せずに分割して等倍で差し込むことができる。差込制御部２２は、情報取得部１９が取得した情報４５に基づいて、差込画像を複数の画像領域に分割して差し込みを行う。
【００４７】
このように本実施形態では、差込画像を複数の画像領域に分割する分割機能と、差込画像のサイズに対して出力画像のサイズを任意の大きさに拡大または縮小する変倍機能を有する。そして、差込制御部２２は、情報取得部１９が取得した情報紙４１の情報から、画像の差し込み位置と、差込画像の拡大・縮小の倍率と、差込画像の分割を行う場合の分割数を決定することができる。
【００４８】
なお、このような情報紙４１は、本実施形態の画像形成装置５００により出力可能としても良い。即ち、図６に示した形式のマークシートを所定のサイズのプレプリント紙に出力する。そして、この出力したマークシートを上述の情報紙４１として使用する。このようにすることで、サイズ毎に情報紙を用意する必要がなく、原稿サイズに応じて画像形成装置５００によりそれぞれ情報紙４１を出力することができる。
【００４９】
この際、出力するマークシートの画像領域５０は、図７に示すように、スキャナ３００で読み取り可能な最小サイズの画像領域とする。即ち、情報紙４１は、原稿束と共に流し読みで読み取るため、この原稿束と同じサイズとすることが好ましい。一方、マークシートの情報を読み取る場合、画像読取部１７で読み取った画像のうち、差込制御部２２に予めマークシートに対応して設定された位置にマークがあるかないかを照合する。このため、原稿束のサイズに合わせてマークシートの画像領域も変化させると、マークの位置と予め設定された位置とを照合できなくなってしまう。
【００５０】
ここで、差込制御部２２に予めマークシートに対応して設定される位置を、スキャナ３００で読み取り可能な最小サイズに合わせておけば、スキャナ３００で読み取り可能な全てのサイズに対応可能となる。このため、本実施形態では、マークシートが出力される情報紙４１のサイズがどのようなサイズであっても、マークシートの画像領域５０は、スキャナ３００で読み取り可能な最小サイズの画像領域としている。
【００５１】
このような本実施形態の制御の流れの一例について、図８を用いて説明する。まず、使用者によって、スキャナ３００の連続流し読み取りの開始が指示されると、ＣＰＵ１１は原稿の分離を行い、画像読取部１７まで原稿を搬送する（Ｓ１）。このとき、搬送している原稿が情報紙であるか否かを情報媒体判別部１８により判断する(Ｓ２)。情報媒体判別部１８により、原稿が情報紙ではないと判断された場合は、原稿の画像読み取りを行い（Ｓ３）、読み取られた画像を画像形成装置本体２４により出力する(Ｓ４)。
【００５２】
一方、Ｓ２において、原稿が情報紙であると判断された場合は、情報取得部１９により情報紙の情報を取得し解析する(Ｓ５)。そして、差込制御部２２が、この情報紙の解析結果に基づいて、次の画像の読み取りを行うか、画像を差し込むかを決定する(Ｓ６)。画像を差し込むと判断された場合、固定読みで読み取った画像を画像メモリ２１に一時的に格納する(Ｓ７)。そして、差込制御部２２は、画像メモリ２１に一時的に格納された画像データを差込画像として、画像形成装置本体２４により出力する(Ｓ８)。原稿の読み取り若しくは画像の差し込み終了後、原稿が最終頁であるか判断し、最終頁の場合は終了する(Ｓ９)。
【００５３】
このように、本実施形態の場合、連続して読み取る複数の原稿の画像に、別の画像（差込画像）を差し込む位置を指定できるため、連続して読み取る原稿の画像の任意の位置への別の画像の差し込みが容易に行える。この結果、例えば、給紙トレイ１０１に同一サイズの原稿束を載置し、原稿台３０２に別のサイズの原稿を載置した複数のサイズが混在する状態から、これらの原稿をまとめて（１つの書類として）読み取り、且つ、出力することができる。また、この場合に、差込画像の倍率、分割数などを適宜設定することができ、様々なバリエーションの書類の作成が可能となる。
【００５４】
＜他の実施形態＞
上述の説明では、情報媒体としての情報紙４１をマークシートとしたが、情報媒体は、穴の開いたパンチシートなど、情報が付加できる形状であれば良い。また、差込画像の差し込み位置の指定などの設定は、トレイに載置され原稿と共に搬送される情報媒体以外に、例えば、装置が有する操作部、ＰＣなどの外部端末から行っても良い。言い換えれば、上述の差込位置指定部２０が外部端末にあっても良い。
【符号の説明】
【００５５】
１７  画像読取部（画像読取手段）
１８  情報媒体判別部（情報媒体判別手段）
１９  情報取得部（情報取得手段）
２０  差込位置指定部
２１  画像メモリ（画像取得手段）
２２  差込制御部（差込制御手段）
２３  外部端末
２４  画像形成装置本体
４１  情報紙（情報媒体）
１００  自動原稿給送装置（ＡＤＦ、搬送手段）
１０１  トレイ（載置台）
３００  スキャナ（画像読取装置）
３０１  イメージセンサ（画像読取手段）
３０２  原稿台
４００  画像形成装置本体
５００  画像形成装置
【図１】
2014127989.tif 000003
【図２】
2014127989.tif 000004
【図３】
2014127989.tif 000005
【図４】
2014127989.tif 000006
【図５】
2014127989.tif 000007
【図６】
2014127989.tif 000008
【図７】
2014127989.tif 000009
【図８】
2014127989.tif 000010